Podtech/llm-jp-corpus-v4-ja_patent huggingface dataset:
(57)【要約】      （修正有）【課題】熟練を要さずに中身の材料を簡単に混ぜたり、裏返しの作業を行うことができ、通常行う不要な操作・装着なしで熟練がなくてもうまく調理でき、又、柄の屈曲部分はゴミ詰まりを防止する柄を取付けたフライパンを提供する。【解決手段】フライパン本体を作業する動作に合わせて屈曲及び固定をするために、一定の角度にのみ上方向に屈曲し水平方向に固定する。又、屈曲部のゴミ詰まりを防止する柄を取付けたフライパン。以上の如く上方向への屈曲、下方向への水平固定を行い連結構造の屈曲する部分へのゴミ詰まりを防止した柄を取付けたフライパンに関するものである。【選択図】図１
2004229879.tif 000002
【特許請求の範囲】
【請求項１】
一定の角度にのみ屈曲する柄を取付けたフライパン。
【請求項２】
上方向への屈曲、下方向への水平固定を行う連結構造の屈曲部のゴミ詰まりを防止する柄を取付けたフライパン。
【発明の詳細な説明】
【０００１】
【発明の属する技術分野】
本発明は熟練がなくてもうまく調理をするための柄を取付けたフライパンに関するものである。
【０００２】
【従来の技術】
従来のフライパンは、一般的に本体部と柄が固定式であり、裏返しや混ぜる調理をする際、熟練がなければ材料がこぼれたり、うまく裏返しが出来ないという欠点があった。又、以前の技術の中に本発明と同様の動きをする柄があるが目に見える隙間があるためゴミを詰まらせたり、柄を屈曲させるための面倒な操作・装着が必要であった。
【０００３】
【発明が解決しようとする課題】
本発明は熟練を要さずに中身の材料を簡単に混ぜたり裏返しの作業を行うことができるように通常行う不要な操作・装着なしで遠心力を利用し、熟練がなくてもうまく調理できる点と柄の屈曲部にゴミを詰まらせないフライパンを開発しようとするものである。
【０００４】
【課題を解決するための手段】
フライパン本体を作業する動作に合わせて屈曲及び固定をするために、一定の角度にのみ屈曲し、屈曲部にゴミを詰まらせない柄を取付けたフライパン。以上の如く上方向への屈曲、下方向への水平固定を行い連結構造の屈曲する部分のゴミ詰まりを防止する柄を取付けたフライパンに関するものである。
【０００５】
【発明の実施の形態】
以下、本発明の実施例について説明する。
一定の角度にのみ屈曲する柄を取付けたフライパンで調理する際に、先端部に遠心力を加えて上方向に傾けて使用する。屈曲する柄は連結した構造とし、フライパン本体部に取付ける側の柄（２）の連結部側の先端を（図３）の如く切り込みを入れ穴を開ける。握り部側の柄（３）にも同様に（２）に一致する穴をあけ、連結させる（４）を差込み（４）両端は丸みを付けた形状にする。又、連結時に切り込み上部にはゴミが入らない程度の隙間とし、（２）、（３）、（４）、共にフライパンが動作した時の重量に耐える材質のものとする。
【０００６】
【実施例】
実際に調理する際には、チャーハンなど満遍なく混ぜる必要がある料理や裏返しを必要とする料理などに特に機能を発揮でき、例えば従来熟練を要していた手首を返すといった感覚をつかまないといけない動作でも、腕を前方向に遠心力が加わるように動作することによりだれでも容易に熟練者と同等の料理を完成させることができる。さらに、屈曲部分にゴミが詰まらない様に（３）の如く切込みを入れ、常に（２）の切込み先端上部との間隔がゴミの詰まらない間隔であるため、屈曲時に屈曲部分にゴミがついても（３）の切込み先端上部が斜め角度にカットされているため、ゴミは手前に落ちるので（２）の切込み先端上部でゴミを外側に押し出すことになる。又、水平固定は（２）の切込み先端下部と（３）の切込み先端下部の密着部分及び（４）との２点で支え固定する。
【０００７】
【発明の効果】
従来の一般的なフライパンとほぼ同等の形状で柄を屈曲させる事ができ、屈曲部へのゴミ詰まりを防止することができる。以上の点を踏まえて本発明は熟練を要さずして同様の感覚もつかむことができ、誰でも容易に熟練を要する料理の調理を行える。
【図面の簡単な説明】
【図１】フライパンの側面図
【図２】フライパンの平面図
【図３】本体部の柄の側面図
【図４】握り手部の柄の側面図
【図５】握り手部の柄の平面図
【符号の説明】
１フライパン本体
２本体部の柄
３握り手部の柄
４連結用差込式金具
【図１】
2004229879.tif 000003
【図２】
2004229879.tif 000004
【図３】
2004229879.tif 000005
【図４】
2004229879.tif 000006
【図５】
2004229879.tif 000007
(57)【要約】【課題】先天性障害および先天性疾病を持つ子供の家族の負担を軽減する為の保険商品【解決手段】保険会社と契約者との契約に基づいて、被保険者（胎児）が契約で決められた特定の先天性の障害、及び病気を持って生まれてきた場合、及び、被保険者（乳幼児）が出生後一定年齢までに医師により契約で決められた特定の先天的障害、及び先天的疾病であると診断された場合、契約者は契約保険会社より一時金として保険金を受け取り、保障期間中は年金を受け取る保険商品。【特許請求の範囲】
【請求項１】
特定の先天性の障害及び疾病を持つことに対して、保険金もしくは一定期間年金を支払う保険商品。
【発明の詳細な説明】
【０００１】
【発明が属する技術分野】
本発明は、先天性障害、及び先天性疾病をもつ契約者に保障をする保険商品に関するものである。
【０００２】
【従来の技術】
先天性障害者・先天性疾病者への障害年金支給制度がある。しかし、先天性障害・先天性疾病に対する保険商品は存在しない。
【０００３】
【発明が解決しようとする課題】
先天性障害または先天性疾病を家族が支えるには金銭的に対応できない場合がある。現状の保険制度、公的支給制度ではそれらのリスクを回避することが出来ないことがある。
また、環境ホルモンなどの影響で先天性の障害・疾病を持つ新生児を心配する親や、遺伝的に新生児に先天性の障害を持つ可能性が高い親にとっては対応策がない。また生前の胎児に対する保険は存在しないため生命保険、養老保険等をかけることは出来ない。
【０００４】
【課題を解決するための手段】
本発明は生まれてくる新生児が先天性障害及び先天性疾病を持つことを対象にし、その保険は妊娠中一定期間に契約することで前述の課題を回避できる。
【０００５】
【実施例】
以下の実施例は発明の一つの実施例を示すもので本発明は他の形態をとりうる。妊娠中一定期間までに、親が生まれてくる新生児に将来先天性障害・先天性疾病を持つ可能性に対して親（妊婦とその夫）が保険会社と保険を契約することで、契約後、医師により契約で決められた特定の先天的障害、及び先天的疾病であると診断された場合に保険金を受け取ることが出来る。
【０００６】
保険加入時期は、被保険者が医師により先天的障害、及び先天的疾病であると診断される以前であればいつでも可能である。
【０００７】
親が契約者、子供が被保険者となり保険会社と契約する。
【０００８】
契約者が支払う保険料は契約者の年齢、被保険者の年齢、保障期間の長さ、対象障害および対象疾病の種類により保険会社が設定するものとする。また、保障期間は、契約者と保険会社の契約内容により決定する。
【０００９】
被保険者の後天性障害、および後天性疾病はこの保険の対象外とする。
【００１０】
【発明の効果】
出産を考えるときに、必ず誰しもが抱える先天性障害児・先天性疾病児を持つ事へのリスクを軽減する。すなわち、この保険商品の存在は、出産に消極的になりがちな現代女性に対して少しでも不安を払拭し出生率向上にも寄与する。
(57)【要約】【課題】本発明は、パイプではなく溝を用いた水路部を用いて大幅なコストダウンを実現することを目的とする。【解決手段】本発明によるモータの水冷構造は、輪状ステータ（２）を有する筒状ケース（１）の周面（１ｂ）に形成した溝からなる水路部（３）を輪状外筒（４）で覆い、水を入口（５）から出口（６）に向けて循環させる構成である。【選択図】        図１
2004229418.tif 000002
【特許請求の範囲】
【請求項１】
輪状ステータ（２）を内面（１ａ）に有する筒状ケース（１）と、前記筒状ケース（１）の両端に設けられ軸受（１０、１１）を有する前蓋（７）及び後蓋（８）と、前記軸受（１０、１１）に回転自在に設けられ前記輪状ステータ（２）の内側に設けられたロータ（１３）と、前記筒状ケース（１）の周面（１ｂ）に形成され輪状外筒（４）によって覆われた溝からなる水路部（３）と、前記水路部（３）に接続された水の入口（５）及び出口（６）とよりなり、前記水路部（３）に水を循環させることにより水冷を行うように構成したことを特徴とするモータの水冷構造。
【発明の詳細な説明】
【０００１】
【発明の属する技術分野】
本発明は、モータの水冷構造に関し、特に、輪状ステータの外側の筒状ケースの周面に形成した溝を利用して水路部とし、パイプを用いない構造とするための新規な改良に関する。
【０００２】
【従来の技術】
従来、用いられていたこの種のモータの水冷構造としては、モータの外周にパイプで形成した水冷用のジャケットを巻付ける構成が採用されていた（例えば、特許文献１参照）。
すなわち、図示していないが、螺旋状に形成したパイプ内に水を循環させ、モータ自体の温度上昇を抑えるようにしていた。
【０００３】
【特許文献１】
特開平１１−２８７５７９号公報
【０００４】
【発明が解決しようとする課題】
従来のモータの水冷構造は、以上のように構成されていたため、次のような課題が存在していた。
すなわち、モータの筒状ケースの周面に、この筒状ケースとは別体で形成された螺旋状のパイプを取付けていたため、この螺旋状のパイプの製作が容易でなく、多大の労力とコストを必要とし、コストダウン及び信頼性向上の大きい障害となっていた。
【０００５】
本発明は、以上のような課題を解決するためになされたもので、特に、輪状ステータの外側の筒状ケースの周面に形成した溝を利用して水路部とし、パイプを用いない構造としたモータの水冷構造を提供することを目的とする。
【０００６】
【課題を解決するための手段】
本発明によるモータの水冷構造は、輪状ステータを内面に有する筒状ケースと、前記筒状ケースの両端に設けられ軸受を有する前蓋及び後蓋と、前記軸受に回転自在に設けられ前記輪状ステータの内側に設けられたロータと、前記筒状ケースの周面に形成され輪状外筒によって覆われた溝からなる水路部と、前記水路部に接続された水の入口及び出口とよりなり、前記水路部に水を循環させることにより水冷を行うようにした構成である。
【０００７】
【発明の実施の形態】
以下、図面と共に本発明によるモータの水冷構造の好適な実施の形態について説明する。
図１において符号１で示されるものは輪状ステータ２を内面１ａに有する筒状ケースであり、この筒状ケース１の周面１ｂには、螺旋状又はジグザグ状等で形成されこの周面１ｂを覆うように構成された溝からなる水路部３が形成されている。
【０００８】
前記筒状ケース１の周面１ｂには、この水路部３を密閉状に覆うように輪状外筒４がＯリング４ａを介して設けられ、この輪状外筒４にはこの水路部３に連通するように入口５及び出口６（図示は省略している）が形成されている。
【０００９】
前記筒状ケース１の両端には、前蓋７及び後蓋８がボルト９で接続固定されており、この前蓋７及び後蓋８には軸受１０、１１が各々設けられている。
前記各軸受１０、１１間には、回転自在な回転軸１２を介してロータ１３が回転自在に設けられ、このロータ１３は輪状ステータ２の内側に位置している。
【００１０】
次に、動作について述べる。まず、図１のように密閉された水路部３が形成された状態で、入口５から水を注入し、出口６を用いて水路部３内に水を循環させると、モータの駆動によって輪状ステータ２の温度が上昇するが、この温度上昇が水冷部３への水の循環によって防止され、モータの定格迄の出力を発揮することができる。
尚、各蓋７、８の中の一方のみは筒状ケース１と一体に形成することもでき、水路部３への水の入口５と出口６の構成も、パイプ等の他の構造とすることもできる。
【００１１】
【発明の効果】
本発明によるモータの水冷構造は、以上のように構成されているため、次のような効果を得ることができる。
すなわち、筒状ケースの周面に形成された溝状の水路部を輪状外筒で覆っているため、従来のパイプを加工して得る水路部と比較すると、製作が大幅に容易となり、コストダウン及び信頼性の向上を得ることができる。
【図面の簡単な説明】
【図１】本発明によるモータの水冷構造を示す断面図である。
【符号の説明】
１    筒状ケース
１ａ    内面
１ｂ    周面
２    輪状ステータ
３    水路部
４    輪状外筒
５    入口
６    出口
７    前蓋
８    後蓋
１０、１１    軸受
１３    ロータ
【図１】
2004229418.tif 000003
(57)【要約】【課題】本発明の課題は，電線路を充電するときアース棒外しが確実に実施されることを支援することである。【解決手段】図１のアース棒５に電波送信装置を取り付け，アース棒が電線路３に接続されている期間は，遮断器投入ロック信号電波を図１の遮断器操作盤６に送信して遮断器投入操作をロックする。【選択図】          図１
2004229484.tif 000002
【特許請求の範囲】
【請求項１】
発電所または変電所等の電気所で使用される移動式の接地棒（以下アース棒と称する）に電波発信装置を取り付けたことを特徴とする遮断器投入ロックシステム。
【請求項２】
電気所の遮断器操作盤には請求項１記載の電波発信装置からの発信電波を受信する受信装置兼遮断器投入ロック装置（以下ロックスイツチと称する）を取り付けることを特徴とする遮断器投入ロックシステム。
【請求項３】
ロックスイツチは請求項１記載の電波発信装置からの電波を受信している期間は，投入操作をロックすることを特徴とする遮断器投入ロックシステム。
【請求項４】
請求項１記載の電波発信装置は複数の周波数を発信する能力があり請求項２記載のロックスイツチは複数の周波数のうちただ一つの周波数を受信する能力を有する遮断器投入ロックシステム。
【発明の詳細な説明】
【０００１】
【発明の属する技術分野】
本発明は発電所または変電所等の電気所において，重大な電気事故を防止することに関するものである。
【０００２】
【従来技術】
次項に含めて説明します。
【０００３】
【発明が解決しようとする課題】
電気所から引き出されている電線路において作業等を実施するとき，当該区間を遮断器により充電を停止する。停止後作業区間をアース棒で接地して安全を確保する。
作業終了後，アース棒を外し遮断器を投入し送電を再開することになるが，このときアース棒の取り外しが，失念によりなされなかつた場合は重大な電気事故となる。本発明は，アース棒外しが確実に実施され得ることを支援するシステムの開発に関するものである。
従来の遮断器は，遮断器が充電しようとする当該電気回路にアース棒による接地が存在していても，遮断器の投入操作はロックされない。操作伝票に従つて投入操作をするが，アース棒取り外し操作を失念していた場合，重大な電気事故となる。
【０００４】
【課題を解決するための手段】
【特許請求の範囲】の項に記載していますので省略します。
【０００５】
【発明の実施の形態】
遮断器が充電しようとする当該電気回路にアース棒による接地が存在している場合は，遮断器には
【請求項２】記載のロックスイツチが取り付けられているので投入操作を行なつても投入不可能となり重大な電気事故を生ずることはない。
【０００６】
【実施例】
以下に，本発明の実施例を詳細に説明する。図１は本発明の実施例の概略構成図を示すものであり，電線路３が遮断器４によつて停止されアース棒５によつて大地に接地された状態である。電線路３の区間において作業が実施される。図２はアース棒の拡大図であり，電波発信装置３が取り付けられアース信号４が図１の遮断器操作盤６へ送信される。
図３は遮断器操作回路の概略図であり，通常の電流は操作電源１−１（正側）から送り出だされ投入操作スイツチ２及び請求項２記載のロックスイツチ３を通り遮断器４に供給され操作電源１−２（負側）に戻る。図２記載の電波発信装置３からの信号があればロックスイツチ３は解放され遮断器の投入はできない。
図４は図２記載の電波発信装置３の構成図であり，取り付け装置６によりアース棒に取り付けられる。電源スイツチ４を投入し，遮断器選択ボタン３により当該遮断器の機器番号を選択すると，表示装置２に機器番号が表示される。表示内容が正しいならば整定ボタン７で整定する。整定ボタン７が押されると電波発信装置１から当該遮断器操作盤へ投入ロツク信号が送信される。
図５は遮断器ロックスイツチの構成図であり，通常の電流は操作電源６−１（正側）から送り出され投入操作スイツチ５及び遮断器ロックスイツチの接点３を通り遮断器７に供給され操作電源６−２（負側）に戻る。図４記載の電波発信装置１からの電波が来ていれば受信装置１で受信しロック装置２によつて接点３を解放し遮断器投入をロックする。
図５において，受信電波が無くなつても何らかの原因で接点３が復帰（閉動作）しない場合は応急的に手動ボタン８により投入回路を構成する。
【０００７】
【発明の効果】
移動式のアース棒が電気回路に取り付けられた場合，従来の遮断器には投入操作をロツクする機能がない。本発明はこの機能を追加し，重大な電気事故を防止するものである。
【図面の簡単な説明】
【図１】本発明の実施例の概略を示す電力系統図である。
【図２】本発明の一部分であるアース棒に取り付けられた電波発信装置の概略図である。
【図３】本発明の一部分である遮断器操作回路の概略図である。
【図４】本発明の一部分である電波発信装置の構成図である。
【図５】本発明の一部分である遮断器ロックスイツチの構成図である。
【符号の説明】
【図１】１      変圧器等の電源側の電気機器
２      母線
３      電線路
４      遮断器
５      アース棒
６      遮断器操作盤
【図２】１      アース棒
２      アース棒の電極
３      電波送信装置
４      送信電波
【図３】１−１    操作回路電源（正側）
２        遮断器操作スイツチ
３        ロックスイツチ
４        遮断器本体
１−２    操作回路電源（負側）
【図４】１      電波送信器
２      表示窓（例えば６−１００のように表示する。これは電圧
６６ＫＶ用の１００番の遮断器を表す）
３      遮断器選択ボタン
４      電源ボタン
５      電池
６      取り付け装置
７      整定ボタン
【図５】１        電波受信器
２        遮断器ロック装置
３        ロック接点
４        受信アンテナ
５        遮断器操作スイツチ
６−１    操作回路電源（正側）
６−２    操作回路電源（負側）
７        遮断器本体
８        手動ボタン
９        端子台
【図１】
2004229484.tif 000003
【図２】
2004229484.tif 000004
【図３】
2004229484.tif 000005
【図４】
2004229484.tif 000006
【図５】
2004229484.tif 000007
(57)【要約】      （修正有）【課題】無駄毛特にまつ毛を切り揃えるときまつ毛の並び状態が良く見え、切り揃えが容易かつ綺麗に行われる器具を提供する。【解決手段】片手で握持できる程度の大きさの除去器本体１の正面に窓孔２を開けると共に、薄くて小形のかみそり刃３をこの窓孔の上端縁に固着することで、この窓孔２を通してまつ毛の並びに対するかみそり刃３の位置を眼で透視できるようにする。【選択図】    図１
2004229703.tif 000002
【特許請求の範囲】
【請求項１】
片手で握持できる程度の大きさの除去器本体の正面に窓孔を開設し、窓孔の上端縁に沿って薄くて小形のかみそり刃を固着し、窓孔を経て刃先を目で透視可能にした無駄毛除去器。
【発明の詳細な説明】
【０００１】
【発明の属する技術分野】
本発明は婦人の身体や脚にはえる無駄毛、或いはまつ毛の先を綺麗に切り揃えることができる無駄毛除去器に関するものである。
【０００２】
【従来の技術】
従来の無駄毛除去器は一般市場で販売しているように手先で保持できる形状の表裏一体の本体に、１枚の刃を着脱可能に取付けたものである。
【０００３】
従って刃の裏側は透視することができず、正確に無駄毛を取り除くことはできない。即ち無駄毛の除去を円滑に行うことができず、特に眉毛の先を切り揃えることができない難点がある。
【０００４】
【発明が解決しようとする課題】
本発明の課題は、無駄毛特にまゆ毛が良くみえて切り揃えて切り落とすことが容易、正確にできる、従来にない効果を奏する無駄毛除去器を得ることにある。
【０００５】
【課題を解決するための手段】
本発明の手段は、除去器本体の正面に窓孔をあけて薄くて小形の刃を窓孔の上端縁に固着し、窓孔を経て前記の刃を眼で透視可能にしたことにある。
【０００６】
【発明の実施の形態】
次に本発明の実施態様を図面を参照して説明する。
【０００７】
図中１は片手で把持できる大きさの合成樹脂製の除去器本体で、外形は曲線の集合の把持部１ａと窓孔２をあけた刃部１ｂとから構成される。
【０００８】
刃部１ｂには正面に前記窓孔２を開設し、窓孔２の上端縁直線部に薄くて小形のかみそり刃３を固着する。
【０００９】
【発明の作用効果】
本発明の無駄毛除去器は本体１に窓孔２が開いているから図３に示すように鏡ｍを立てかけて、その前方に本発明の本体１を手で保持して、刃３を眼で見るとまつ毛は窓孔を経て鏡ｍにうつりまつ毛の状態を鮮明に観察でき、まつ毛の先を綺麗に切り揃えることができ在来の無駄毛除去器では到底利用不可能な状態でまつ毛を切り揃えることができる。
【図面の簡単な説明】
【図１】正面図。
【図２】縦断側面図。
【図３】使用状態の一例を示す側面図。
【符号の説明】
１      本体
１ａ    把持部
１ｂ    刃部
２      窓孔
３      刃
ｍ      鏡
【図１】
2004229703.tif 000003
【図２】
2004229703.tif 000004
【図３】
2004229703.tif 000005
(57)【要約】      （修正有）【課題】高齢者など比較的に指先が器用でない人でも、きれいに日本古来の折り鶴を作ることを可能とする事である。【解決手段】日本に古来から伝わる伝統工芸的な折り鶴は各種ディスプレーに千羽鶴として多くの需要があったが、一部分の作業の難しさのため、高齢者や比較的指先の器用でない人には難しい作業とされ敬遠されていた。本発明はこの難しい一部分を取り除き、すべての工程を紙を一つの方向に折り曲げるだけの単純作業にしたことにより、誰でもきれいに鶴を折れるようにする事である。【選択図】        図１
2004229739.tif 000002
【特許請求の範囲】
【請求項１】
正方形の紙に４辺の各中点から中心点に向かって１辺の長さの０．２１倍の長さの切込みを設けた紙を用いる折り鶴作成方法。
【発明の詳細な説明】
【０００１】
【発明が属する技術分野】
本発明は、手先の比較的不器用な人でも、きれいに折り鶴を作る事を可能とする方法である。
【０００２】
【従来の技術】
日本に古来より伝わる折鶴の作成方法は正方形の紙から織り上げて行く方法であった。
【０００３】
この方法はひとつの部分、すなわち羽の部分を折るときに比較的複雑な動作を必要とされ、時間を要する原因となっていた。
このため各種の装飾に千羽鶴を用いることは大変な労力を必要としていた。
【０００４】
そもそも、折り紙は単純作業で、かつ力を必要とはしない作業であることから、高齢者や、比較的不器用な人の作業として最適であったが、需要が多いにもかかわらず折り鶴を作る作業だけはこのような人々の仕事には成り得なかった訳であった。
【０００５】
【発明が解決しようとする課題】
解決しようとする問題点は、年齢とともに手先の器用さが低下したところの高齢者や、そもそも指先が不器用な人でもきれいに折り鶴を作成することを可能とする為の方法である。
【０００６】
【課題を解決するための手段】
本発明は、折り鶴の製作工程において最も難しい部分を無くする事により、誰でもきれいに折り鶴を作ることを可能とし、またそれにより単純な紙を折り曲げる冶具を用いる事をも可能とした事を特徴とする。
【０００７】
【発明の実施の形態】
正方形の折り紙に４辺の各中点から中心点に向かって１辺の長さの０．２１倍の長さの切込みを設けた紙を用いる。
【０００８】
切り込みの長さは正確には１辺の長さにＴＡＮ２２．５の値を乗じたものであるが、折り紙の精度の性質上０．２１という数値で十分と考える。
【０００９】
【実施例】
図１は、本発明の実施例の平面図である。図２は折り鶴製作工程の羽を折る直前の平面図である。図３は片面側の羽部分を折った工程の平面図である。
【００１０】
この切込みがある事により従来複雑な作業を必要とされた工程がまったく単純な工程に変化し、作業を助ける冶具の開発も大幅に単純化された。
【００１１】
七夕祭りに飾られる装飾品には折り鶴が数多く使用され、それらはすべて手作業で作られていたが本発明により折り鶴を自動化した機械によって折ることも可能となったものである。
【００１２】
【図１】
【図２】
【図３】
【００１３】
【発明の効果】
以上説明したように本発明の折り鶴作成方法は、日本古来の折り紙による鶴の折り方に関する方法であるが、出来上がりがまったく同じであるにもかかわらず、製作工程の最も複雑な部分を無くしたことにより、単純に紙を折り曲げる動作が出来るだけの能力で鶴を折ることが可能になった。
【図面の簡単な説明】
【図１】本発明方法の実施例を示した平面図である。
【図２】本発明方法による作業工程の１工程を示した平面図である。
【図３】本発明方法による作業工程の１工程を示した平面図である。
【符号の説明】
１    折り鶴用紙
２    切り込み
【図１】
2004229739.tif 000003
【図２】
2004229739.tif 000004
【図３】
2004229739.tif 000005
【手続補正書】
【提出日】平成15年3月19日(2003.3.19)
【手続補正１】
【補正対象書類名】明細書
【補正対象項目名】発明の詳細な説明
【補正方法】変更
【補正の内容】
【発明の詳細な説明】実施例
【発明の詳細な説明】
【０００１】
【発明が属する技術分野】
本発明は、手先の比較的不器用な人でも、きれいに折り鶴を作る事を可能とする方法である。
【０００２】
【従来の技術】
日本に古来より伝わる折鶴の作成方法は正方形の紙から織り上げて行く方法であった。
【０００３】
この方法はひとつの部分、すなわち羽の部分を折るときに比較的複雑な動作を必要とされ、時間を要する原因となっていた。
このため各種の装飾に千羽鶴を用いることは大変な労力を必要としていた。
【０００４】
そもそも、折り紙は単純作業で、かつ力を必要とはしない作業であることから、高齢者や、比較的不器用な人の作業として最適であったが、需要が多いにもかかわらず折り鶴を作る作業だけはこのような人々の仕事には成り得なかった訳であった。
【０００５】
【発明が解決しようとする課題】
解決しようとする問題点は、年齢とともに手先の器用さが低下したところの高齢者や、そもそも指先が不器用な人でもきれいに折り鶴を作成することを可能とする為の方法である。
【０００６】
【課題を解決するための手段】
本発明は、折り鶴の製作工程において最も難しい部分を無くする事により、誰でもきれいに折り鶴を作ることを可能とし、またそれにより単純な紙を折り曲げる冶具を用いる事をも可能とした事を特徴とする。
【０００７】
【発明の実施の形態】
正方形の折り紙に４辺の各中点から中心点に向かって１辺の長さの０．２１倍の長さの切込みを設けた紙を用いる。
【０００８】
切り込みの長さは正確には１辺の長さにＴＡＮ２２．５の値を乗じたものであるが、折り紙の精度の性質上０．２１という数値で十分と考える。
【０００９】
【実施例】
図１は、本発明の実施例の平面図である。図２は折り鶴製作工程の羽を折る直前の平面図である。図３は片面側の羽部分を折った工程の平面図である。
【００１０】
この切込みがある事により従来複雑な作業を必要とされた工程がまったく単純な工程に変化し、作業を助ける冶具の開発も大幅に単純化された。
【００１１】
七夕祭りに飾られる装飾品には折り鶴が数多く使用され、それらはすべて手作業で作られていたが本発明により折り鶴を自動化した機械によって折ることも可能となったものである。
【００１２】
【発明の効果】
以上説明したように本発明の折り鶴作成方法は、日本古来の折り紙による鶴の折り方に関する方法であるが、出来上がりがまったく同じであるにもかかわらず、製作工程の最も複雑な部分を無くしたことにより、単純に紙を折り曲げる動作が出来るだけの能力で鶴を折ることが可能になった。
【図面の簡単な説明】
【図１】本発明方法の実施例を示した平面図である。
【図２】本発明方法による作業工程の１工程を示した平面図である。
【図３】本発明方法による作業工程の１工程を示した平面図である。
【符号の説明】
１    折り鶴用紙
２    切り込み
(57)【要約】【課題】鮮魚用として目打ちの使用が容易でかつ衛生的なまな板を安価に提供する。【解決手段】板状体で構成され、差し替え部を有するまな板であって、差し替え部を容易に交換できることから、特に鮮魚用として、目打ちを用いて鮮魚の目部を固定する場合に、差し替え部に穴をあけることにより、まな板本体に穴をあけずにすむまな板である。差し替え部をまな板の表面に２箇所以上設けることにより、同時に２人以上の調理人が作業することもできる。【特許請求の範囲】
【請求項１】
板状体で構成され、差し替え部を有することを特徴とするまな板。
【請求項２】
差し替え部がまな板の表面に２箇所以上設けられた請求項１記載のまな板。
【請求項３】
板状体がポリオレフィン系樹脂からなる請求項１又は２記載のまな板。
【請求項４】
差し替え部がポリオレフィン系樹脂からなる請求項１、２又は３記載のまな板。
【請求項５】
差し替え部がシリコンゴムからなる請求項１、２又は３記載のまな板。
【請求項６】
差し替え部が着色されてなる請求項１、２、３、４又は５記載のまな板。
【発明の詳細な説明】
【０００１】
【発明の属する技術分野】
本発明は、調理用のまな板に関し、給食所、保育所、外食産業、その他で使用されるまな板の改良に関する。
【０００２】
【従来の技術】
従来調理用まな板として、木製やポリエチレンなどの合成樹脂製のまな板が広く用いられている。これらのまな板で特にウナギ、ハモ、穴子、ドジョウ等の鮮魚類を調理する場合には、目打ちという錐状の道具を鮮魚類の目の部分に打ち込み、鮮魚類を固定して調理する方法が一般に行われている。
しかし目打ちを鮮魚類に打ち込む場合には、まな板にまで目打ちによる穴が開けられるため、数多くの魚介類を調理する場合には、まな板に無数の穴があけられ、まな板が使用不可能となる欠点を有している。この目打ち作業をすることでまな板の限られた部分だけが損傷が激しくなるが、部分的な損傷だけでまな板全体の交換を迫られることは利用者としてははなはだ不都合なものである。また、まな板が合成樹脂製の場合には削り直しにより再生することもできるが費用と時間がかかることは避けられない問題であった。
【０００３】
一方このような問題に対処するため、合成樹脂製のまな板の表面に薄手で木製の替まな板を組み合わせた鮮魚用まな板が市販されている。この鮮魚用まな板は、表面に木製の替まな板が組み合わせられているため、目打ちによる穴が多数あいた場合、替まな板を交換することが可能であるが、替まな板は薄手とはいえまな板の全面積を覆っているため費用削減効果が少ないこと、木製であるため衛生管理上の問題があることなどが問題であった。
【０００４】
【発明が解決しようとする課題】
本発明はこのような不具合を解消し、鮮魚用として目打ちの使用が容易でかつ衛生的なまな板を安価に提供することを目的とする。
【０００５】
【課題を解決するための手段】
すなわち本発明は、
［１］  板状体で構成され、差し替え部を有することを特徴とするまな板、
［２］  差し替え部がまな板の表面に２箇所以上設けられた［１］項記載のまな板、
［３］  板状体がポリオレフィン系樹脂からなる［１］又は［２］項記載のまな板、
［４］  差し替え部がポリオレフィン系樹脂からなる［１］［２］又は［３］項記載のまな板、
［５］  差し替え部がシリコンゴムからなる［１］［２］又は［３］項記載のまな板、
［６］  差し替え部が着色されてなる［１］［２］［３］［４］又は［５］項記載のまな板
である。
【０００６】
【発明の実施の形態】
図１及び図２は、本発明の基本的な構成にかかるまな板の斜視図である。図１に示すようにまな板本体１の板状体に２ヶ所の切欠き部２が設けられ、この切欠き部２に同寸法の差し替え用板状体３を挿入することにより、図２に示すような本発明のまな板が構成される。まな板の切欠き部は、まな板の短辺から５０〜２００ｍｍ程度の位置に幅５０〜２００ｍｍ程度でまな板の長辺に直行して設けられるのが好ましいが、切欠き部の短辺からの位置、切欠き部の幅は特に限定されるものではない。切欠き部の厚さはまな板全体の厚さの１／５〜１／２であることが好ましいが特に限定されるものではない。
【０００７】
まな板本体の材質は衛生上の観点からポリオレフィン系樹脂であることが好ましく、特にポリエチレン、ポリプロピレン等が好ましい。まな板の切欠き部には同寸法の差し替え用板状体が挿入される。差し替え用板状体の材質は、まな板本体と同じでも異なっていてもよいが、まな板本体と同様にポリエチレン、ポリプロピレン等のポリオレフィン系樹脂、あるいはシリコンゴムが好ましく用いられる。
【０００８】
本発明のまな板で鮮魚類を調理する場合には、差し替え部上に鮮魚の頭部を置き、目打ちにて鮮魚の目部を貫通してまな板に挿入された差し替え部に目打ちを刺すことにより鮮魚をまな板上に固定して調理する。長期間使用することにより、差し替え部に多数の穴があき使用困難になった場合には、差し替え部を裏返して挿入することにより、再度使用することができる。
【０００９】
また、図１、２に示すように差し替え部を２ヶ所設けた場合には、まな板をはさんで両側に２人ずつの調理者が同時に使用することもできる。
裏返した差し替え部が更に多数の穴があいて使用困難になった場合には、差し替え部を新品に交換する。この作業は予備の差し替え部を用意しておくことによりきわめて容易に行うことができ、従来のようにまな板の専門業者に削りなおしを依頼するのに比べて時間、費用の点でも格段に優れている。
【００１０】
【発明の効果】
本発明によれば、詳細に説明したとおり、差し替え部を容易に交換することができることから、特に鮮魚を調理するように目打ちにより穴をあけるような調理が多い場合には、まな板本体の寿命を大幅に引き伸ばすことができる。また、衛生的なまな板と同一の材料も使え、裏表の互換性もあり、部分的損傷の激しい部分だけ交換できるメリットがある等、コスト面からも工業的価値は多大なものである。
【図面の簡単な説明】
【図１】本発明のまな板の構造の１例であり、差し替え用板状体を挿入する前の状態を示す。
【図２】図１において切欠き部に差し替え用板状体を挿入した本発明のまな板の一例を示す。
【符号の説明】
１  まな板本体
２  切欠き部
３  差し替え用板状体
【図１】
2004229747.tif 000002
【図２】
2004229747.tif 000003
(57)【要約】【課題】モリンダ・シトリフォリア果汁、その濃縮液または濃縮乾燥粉末の飲み易さをその健康増進効果を低下させることなく改善したサプリメント食品を提供する。【解決手段】モリンダ・シトリフォリア果汁エキスとハチミツとの混合物からなるサプリメント食品。【選択図】  なし【特許請求の範囲】
【請求項１】
モリンダ・シトリフォリア果汁エキスとハチミツとの混合物からなるサプリメント食品。
【請求項２】
前記果汁エキスは、果汁、濃縮果汁または果汁乾燥粉末である請求項１のサプリメント食品。
【請求項３】
前記ハチミツは、マヌカハニーである請求項１または２のサプリメント食品。
【請求項４】
モリンダ・シトリフォリア果汁エキスのハチミツに対する混合比が、濃縮前の果汁に換算して１：０．２ないし１：３である請求項１ないし３のいずれかのサプリメント食品。
【請求項５】
前記混合比が１：０．４である請求項４のサプリメント食品。
【発明の詳細な説明】
【０００１】
【技術分野】
本発明は、モリンダ・シトリフォリアの果汁エキスを主成分とするサプリメント食品（健康食品）に関する。
【０００２】
【先行技術および課題】
モリンダ・シトリフォリア（Ｍｏｒｉｎｄａ  ｃｉｔｉｆｏｌｉａ）は和名をヤマヤマアオキといい、アカネ科のモリンダ属の果樹である。主にポリネシア、インド、東南アジア、オーストラリアなどの熱帯および亜熱帯地方に分布している。その果実は熟すと深緑色から黄色ないしクリーム色に変化し、これを搾汁して得た果汁は糖尿病を含む多くの疾病の予防および治療に効果があることが知られている。また、モリンダ・シトリフォリアの乾燥根抽出物およびそれらから単離したダムナカンタールまたはノルダムナカンタールは、ヘリコバクター・ピロリ感染症の治療に有効であることが報告されている。特開平８−２０８４６１および同平８−２１７６８６参照。
【０００３】
モリンダ・シトリフォリアの果汁には強い悪臭と独特の苦みがあり、そのままで飲用することは困難である。そのためこの果汁の悪臭と苦みを緩和し、服用を容易にすることが要望される。また前記果汁は糖尿病の予防と治療に効果あることが知られており、ヘリコバクター・ピロリ感染症に効果があると報告されている根の成分は果実にも存在しているので、服用を容易にすると同時にこれらの効果を保存ないし増強することが好ましい。
【０００４】
【課題の解決手段】
上記の課題は、本発明に従ってモリンダ・シトリフォリア果汁エキスとハチミツとの混合物よりなるサプリメント食品を提供することによって解決される。
【０００５】
モリンダ・シトリフォリア果汁（以下「単に果汁」という。）エキスとして、熟した果肉の搾汁液（原液）、搾汁液を例えば減圧蒸発によって水分の一部を除去して得られる濃縮液、およびそれを乾燥状態まで濃縮して得られる粉末状エキスを用いることができる。
【０００６】
ハチミツは果糖を多量に含んでいるため糖尿病の予防、治療に効果があることが知られている。またヘリコバクター・ピロリに対して殺菌効果があることも報告されている。どのような種類のハチミツを用いても良いが、果糖を多量に含むハチミツが果汁エキスの効果を保存ないし増強するために好ましい。そのようなハチミツの具体例は、アカシアハチミツ、マヌカハニーである。これらは果糖を約４５％またはそれ以上含んでいる。
【０００７】
服用性を改善し、かつ果汁の効果を保存ないし増強するハチミツの混合比は、体積比で原液１：ハチミツ０．２〜３の範囲である。特に原液１に対しハチミツ０．４の混合比が好ましい。果汁エキスとして濃縮液または乾燥粉末エキスを用いる場合はそれぞれ対応する原液とハチミツの混合比に換算した比を意味する。この場合原液の水分は約５２％と想定し、水分の変動があればそれも考慮に入れて混合比を定める。
【０００８】
果汁エキスとハチミツの混合物はジュース状として服用する。濃縮液や乾燥粉末エキスを用いた混合物の場合は水または温水で適当濃度に希釈して服用すれば良い。服用量は、果汁原液として約３０ｍｌを空腹時１日２回服用するのが推奨される。
【０００９】
ハチミツの混合により服用性が改善され、長期間の継続服用が可能になり、また前記したハチミツ混合比においては果汁本来の健康増進効果を保存ないし増強することができる。
【００１０】
【実施例】
実施例１
ハワイ原産のモリンダ・シトリフォリア果汁原液（固形分約８％）に対し、ニュージーランド産マヌカハニーを下表に示す混合比（体積）で攪拌下徐々に滴下し、均一になるまで混合した。それぞれの混合物３０ｍｌを取り、パネラー１０人に服用させ、においおよび味について５点満点で評価させ、平均値を算出した。
【００１１】
混合物Ｎｏ．      原液      マヌカハニー      におい    味
───────────────────────────────
１              １          ０              １      １
２              １          ０．２          ４      ３
３              １          ０．４          ５      ４
４              １          １．０          ５      ４
５              １          １．５          ５      ４
６              １          ３．０          ５      ３
───────────────────────────────
【００１２】
点数が高くなるにつれ、モリンダ・シトリフォリア果汁の独特のにおいおよび味が消失するが、ハチミツの混合比が高くなるにつれ該果汁の健康増進効果が低くなるので、両者のバランスから見て、果汁：ハチミツ＝５：０．４の混合比が最適である。
(57)【要約】【課題】外耳道の密閉による不快感を感じずに装用できる耳あな形補聴器を提供する。【解決手段】シェル部材３の内部にマイクロホン６、補聴処理部７、バッテリィ９、イヤホン８などを収納した耳あな形補聴器において、シェル部材３を通気性が確保できる連続多孔質体の柔らかい弾性材で形成したカバー部材２で覆った。【選択図】        図１
2004229181.tif 000002
【特許請求の範囲】
【請求項１】
シェル部材の内部にマイクロホン、補聴処理部、バッテリィ、イヤホンなどを収納した耳あな形補聴器において、前記シェル部材を連続多孔質体の柔らかい弾性材で形成したカバー部材で覆ったことを特徴とする耳あな形補聴器。
【発明の詳細な説明】
【０００１】
【発明の属する技術分野】
本発明は、耳への密閉感やこもり感をなくして快適な装用感を実現する耳あな形補聴器に関する。
【０００２】
【従来の技術】
従来の耳あな形補聴器としては、シェル部材を軟質又は硬質樹脂で成形し、装用の際にシェル部材を外耳道にぴったりとフィッティングさせて使用していた。シェル部材を外耳道にぴったりとフィッティングさせるのは、シェル部材と外耳道の間に隙間があると音漏れによりハウリングを生じるからである。
【０００３】
【発明が解決しようとする課題】
しかし、シェル部材を外耳道にぴったりとフィッティングさせて使用すれば、ハウリングの発生を防止できるものの、装用者には外耳道の密閉による密閉感やこもり感などの不快感が生じていた。
【０００４】
本発明は、従来の技術が有するこのような問題点に鑑みてなされたものであり、その目的とするところは、外耳道を密閉せずに、鼓膜面と外気の通気を確保した状態で装用できる（以下、オープンフィッティングという）耳あな形補聴器を提供しようとするものである。
【０００５】
【課題を解決するための手段】
上記課題を解決すべく本発明は、シェル部材の内部にマイクロホン、補聴処理部、バッテリィ、イヤホンなどを収納した耳あな形補聴器において、前記シェル部材を連続多孔質体の柔らかい弾性材で形成したカバー部材で覆ったものである。
【０００６】
【発明の実施の形態】
以下に本発明の実施の形態を添付図面に基づいて説明する。ここで、図１は本発明に係る耳あな形補聴器の斜視図、図２は耳あな形補聴器本体の分解斜視図、図３はカバー部材の斜視図である。
【０００７】
本発明に係る耳あな形補聴器は、図１に示すように、耳あな形補聴器本体１をカバー部材２によって被覆してなる。耳あな形補聴器本体１は、図２示すよように、中空のシェル部材３とパネル部材４とからケース体５を形成している。カバー部材２は外耳道入口の形状に適合するように形成され、シェル部材３の周囲を覆っている。
【０００８】
シェル部材３は中空の紡錘形の一端を切除した形状を有し、シェル部材３の外形は平均的な外耳道の内径よりも十分に小さく形成されている。また、シェル部材３の先端には放音口（不図示）を備える。
【０００９】
パネル部材４は、シェル部材３の開放端を塞ぎ、シェル部材３とパネル部材４とで形成されるケース体５内部には外部音を検出して電気信号に変換するマイクロホン６、ＤＳＰ（ｄｉｇｉｔａｌ  ｓｉｇｎａｌ  ｐｒｏｃｅｓｓｏｒ）からなる補聴処理部７、補聴処理部７の出力を電気音響変換するイヤホン８、バッテリィ９及び外部通信用コネクタ１０が配置されている。
【００１０】
パネル部材４の外界に臨む面には、補聴器の取り出し索４ａと、図示しないマイクロホン６に音を導く音導入孔、バッテリィ９を装填するための蓋体や外部通信用コネクタ１０の挿入口などが配置されている。
【００１１】
補聴処理部７は、オープンフィッティングを可能にするアンチ・フィードバック機能（音漏れによりハウリングを防止する機能）を有する。また、その他の補聴処理のための各種デジタル信号処理を行うことができる。
【００１２】
外部通信用コネクタ１０は、補聴器の補聴特性を外部から調整するために設けられたものであり、このコネクタ１０に調整用外部コントロールツール（不図示）を接続し、補聴特性を外部から調整することができる。なお、補聴器と調整用外部コントロールツールとの接続は、外部通信用コネクタ１０によらずに無線通信手段によってもよい。
【００１３】
カバー部材２は、シェル部材３に倣った形状、即ち一端を切除した紡錘形状を有し、シェル部材３の放音口に対応する部位には開口が形成されている。また、カバー部材２はシェル部材３の外径よりも僅かに小さい内径を有し、平均的な外耳道の内径よりも僅かに大きい外径を有する。
【００１４】
また、カバー部材２は通気性を確保できる連続多孔質体の柔らかい弾性材で形成されている。カバー部材２はシェル部材３の外径よりも僅かに小さい内径を有すると共に弾性材で形成されているので、シェル部材３の周囲を安定に覆うことができる。
【００１５】
連続多孔質体の柔らかい弾性材としては、四フッ化フロロエチレン（商標：テフロン）の連続多孔質体（商標：Ｇｏｒｅｔｅｘ）が好ましい。その他に、連続気泡ポリエチレンフォームや連続気泡軟質ウレタンフォームなどを用いることができる。
【００１６】
以上のように構成した本発明に係る耳あな形補聴器の動作について説明する。耳あな形補聴器を外耳道に挿入すると、カバー部材２の紡錘形の外形が装用者の外耳道の内部形状に倣って弾性的に変形する。これにより、耳あな形補聴器は適度の弾性をもって外耳道内に保持されることになる。また、カバー部材２は通気性を有するので、装用者は外耳道の密閉による不快感から解放される。
【００１７】
また、補聴処理部７がアンチ・フィードバック機能を有するので、カバー部材２が通気性を有していても、効果的にハウリングを抑制できる。
【００１８】
【発明の効果】
以上説明したように本発明によれば、通気性を確保できる連続多孔質体の柔軟材で形成したカバー部材でシェル部材を覆うことにより、外耳道の密閉による不快感を感じずに耳あな形補聴器を外耳道内で保持することが可能になるので、安定した装着ができると共に、オープンフィッティングと同様の装用感覚を得ることが可能になるので、快適な装用感を得ることができる。
【図面の簡単な説明】
【図１】本発明に係る耳あな形補聴器の斜視図
【図２】耳あな形補聴器本体の分解斜視図
【図３】カバー部材の斜視図
【符号の説明】
１…耳あな形補聴器本体、２…カバー部材、３…シェル部材、４…パネル部材、５…ケース体、６…マイクロホン、７…補聴処理部、８…イヤホン、９…バッテリィ、１０…外部通信用コネクタ。
【図１】
2004229181.tif 000003
【図２】
2004229181.tif 000004
【図３】
2004229181.tif 000005
(57)【要約】【課題】従来の超音波ソナーでは、超音波を照射するために、超音波振動子を回転する構成が必要であり、又、超音波の反射波を受信するための超音波振動子も同様に回転するか、又は複数の超音波振動子のそれぞれからの受信信号を遅延回路を通して受信するようにしているので、構成が複雑になるという問題があった。【解決手段】円筒体１は樹脂で構成され、円筒体１の側面に共通電極２が接着され、そのうえに短冊状に構成した複数のＰＶＤＦ振動子３が固着され、又、円筒体１の端面に円筒型の高周波振動子４が固着されている。【選択図】        図１
2004229162.tif 000002
【特許請求の範囲】
【請求項１】
円筒体を金属で構成し、該円筒体の側面に複数の短冊状に切断されたＰＶＤＦ振動子をほぼ等間隔に固着し、前記円筒体の一方の端面に円筒型の高周波振動子を固着したことを特徴とする超音波振動子。
【請求項２】
円筒体を樹脂で構成し、該円筒体の側面に複数の短冊状に切断された電極をほぼ等間隔に接着し、該電極の上にＰＶＤＦ振動子を固着し、前記円筒体の一方の端面に円筒型の高周波振動子を固着したことを特徴とする超音波振動子。
【発明の詳細な説明】
【０００１】
【発明が属する技術分野】
本発明は、無指向性に超音波を発生し、その反射波の方向を特定して検出することができる超音波振動子に関するものである。
【０００２】
【従来の技術】
従来、超音波ソナーとしては、１つの超音波振動子を回転して順次超音波を照射し、この超音波の反射波を他の超音波振動子で受信するか、他の複数の超音波振動子を円弧状に並べて受信するようにしている。
【０００３】
【発明が解決しようとする課題】
しかしながら、このような超音波ソナーでは、超音波を照射するために、超音波振動子を回転する構成が必要であり、又、超音波の反射波を受信するための超音波振動子も同様に回転するか、又は複数の超音波振動子のそれぞれからの受信信号を遅延回路を通して受信するようにしているので、構成が複雑になるという問題があった。
【０００４】
【課題を解決しようとする手段】
本発明は、円筒体を金属で構成し、該円筒体の側面に複数の短冊状に切断されたＰＶＤＦ振動子をほぼ等間隔に固着し、前記円筒体の一方の端面に円筒型の高周波振動子を固着したものであり、又、円筒体を樹脂で構成し、該円筒体の側面に複数の短冊状に切断された電極をほぼ等間隔に接着し、該電極の上にＰＶＤＦ振動子を固着し、前記円筒体の一方の端面に円筒型の高周波振動子を固着したものである。
【０００５】
【発明の実施の形態】
本発明は、円筒体の側面にＰＶＤＦ振動子を短冊状に固着し、円筒体の端面に円筒型の高周波振動子を一体に構成することにより、円筒型の高周波振動子で発生した超音波は３６０度方向に照射され、その反射波は円筒体の短冊状のＰＶＤＦ振動子のいずれかで受信するが、論理的にその指向角が電極の数で決まることにより、受信信号に遅延回路を通す必要が無く、反射物体の方向を検知することができるので、構成が簡単になる。
【０００６】
【実施例】
図１は本発明の実施例の超音波振動子の斜視図、図２は図１の超音波振動子の側面図で、円筒体１は樹脂で構成され、円筒体１の側面に共通電極２が接着され、そのうえに短冊状に構成した複数のＰＶＤＦ振動子３が固着され、又、円筒体１の端面に円筒型の高周波振動子４が固着されている。
【０００７】
このように構成した本実施例の超音波振動子では、円筒型のの高周波振動子４に発振器（図示せず）から発振信号を入力すると、円筒型の高周波振動子４から発生した超音波は３６０度方向に照射され、又、その反射波は円筒体１に固着されたＰＶＤＦ振動子３で受信されるが、反射物体の方向は受信されるＰＶＤＦ振動子３の数で決まるので、ＰＶＤＦ振動子３で受信された信号は遅延回路を通すことなく、反射物体の方向を検知することができる。
【０００８】
なお、上記実施例では、円筒体１を樹脂で構成し、円筒体１の側面に共通電極２を接着したが、円筒体１を金属で構成し、円筒体１の金属を共通電極として使用するために、金属の円筒体１に直接複数の短冊状のＰＶＤＦを導電性の接着剤で固着するようにしてもよい。
【０００９】
【発明の効果】
以上説明したように、本発明の超音波振動子は、円筒体の側面にＰＶＤＦ振動子を短冊状に固着し、円筒体の端面に円筒型の高周波振動子を一体に構成することにより、円筒型の高周波振動子で発生した超音波は３６０度方向に照射され、その反射波は円筒体の短冊状のＰＶＤＦ振動子のいずれかで受信するが、論理的にその指向角が電極の数で決まることにより、受信信号に遅延回路を通す必要が無く、反射物体の方向を検知することができるので、構成が簡単になるという利点がある。
【図面の簡単な説明】
【図１】本発明の実施例の超音波振動子の斜視図である。
【図２】図１の超音波振動子の側面図である。
【符号の説明】
１            円筒体
２            共通電極
３            ＰＶＤＦ振動子
４            円筒型の高周波振動子
【図１】
2004229162.tif 000003
【図２】
2004229162.tif 000004